(57)【特許請求の範囲】
【請求項１】
通風口を区画形成する枠体が嵌込まれたパネル本体と、前記枠体内に装着されて前記通風口を開閉する複数の整風板が重なり可能に連結されてなるシャッターとから構成され、前記シャッターをスライドさせることにより各隣り合う前記整風板との重なり代を変えて前記通風口を所望の大きさに開閉し、通風量を調整可能としたフロアー用風量調整パネルであって、前記シャッターを構成する前記各整風板は板状で前方下面に板状の支持部材が垂設されているとともに、それらの裏面では、前記支持部材を介してレージトングによって連結され、且つ、先端の整風板から順次隣り合う整風板の上にその一部分が重なっており、通風口を全開状態にしたときは、先端の整風板の下方に他の全ての整風板が重なって収納されることを特徴とするフロアー用風量調整パネル。
【請求項２】
通風口を区画形成する枠体が嵌込まれたパネル本体と、前記枠体内に装着されて前記通風口を開閉する複数の整風板が重なり可能に連結されてなるシャッターとから構成され、前記シャッターをスライドさせることにより各隣り合う前記整風板との重なり代を変えて前記通風口を所望の大きさに開閉し、通風量を調整可能としたフロアー用風量調整パネルであって、前記通風口の一側が開放されて開口部が形成されていることを特徴とするフロアー用風量調整パネル
【発明の詳細な説明】
【０００１】
【発明の属する技術分野】
本発明は、例えばコンピューターや通信機器などのように、発熱する機器を設置する二重床の室内のフリーアクセスフロアーに使用するパネルに関する。
【０００２】
【従来の技術】
コンピューターや通信機器を設置する室内は、機器の運転中に熱が発生する為に機器を冷却する空調設備が必要であり、また、複雑なケーブルや配管類を整理して室内環境を整えるとともに、これらの保守点検が容易にできるようにする必要がある。この為に、室内にフリーアクセスフロアを採用し、床を二重床に構成して基礎床面とフリーアクセスフロアーとの間に空間を設け、この空間に床配線をするとともに、この空間を空調設備の一部として冷却空気を供給するシステムがとられている。
【０００３】
図８は、前記システムを備えた建物の室内２０の従来例を示すもので、天井２０ａ、壁２０ｂ、基礎床面２０ｃに囲まれており、この基礎床面２０ｃの上方に基礎床面２０ｃから支持脚（図示省略）によって支持された複数のパネルが連結固定されてなるフリーアクセスフロアー２１（以下、フロアーという）による二重床が構成されている。そして、基礎床面２０ｃとフロアー２１との間の空間部２２が電気配線（図示省略）の収納部となっているとともに冷却空気の供給路となっている。
【０００４】
図８において、符合２３は、フロアー２１に設けられた通風口２５の上に架台２４を介して所望位置に設置された複数の機器であり、符合２６は前記機器２３に冷風を送風して室内２０の温度を調和させる空気調和機である。
【０００５】
機器２３の運転中は空気調和機２６も運転され、空気調和機２６の下端から送出された冷風が空気調和機２６に対応するフロアー２１の通風口２５から空間部２２内に供給されるとともに、空気調和機２６の送風圧および機器２３内上部に設けられたフアン２３ａの吸入圧を受けて、機器２３に対応するフロアー２１の通風口２５を通り、更に架台２４を通って機器２３内の発熱源を冷却し、機器２３の上部の通風口２３ｂから室内２０へ放出される。この放出された空気は空気調和機２６に吸い込まれ、再び冷却用空気として循環するようになっている。また、空間部２２内に床配設された電線や配管は、前記機器類２３，２６に対応する各通風口２５を通して、それぞれの機器２３，２６内に導かれて接続されている。
【０００６】
上記システムに配置されている発熱する機器２３は、それぞれ発熱量も、また空気調和機２６からの距離も異なり、且つ、各機器２３内に導かれる配線の量もまちまちである。従って、各機器２３に対応する通風口２５の大きさは、各機器２３内の発熱源へ充分な送風がなされるように冷却風の送風量と配線の量とを勘案して設定されている。そして、この通風口２５は、所定寸法の穴を設けたパネルからなり、これをフリーアクセスフロアーの通風口２５部分のパネルとして取り付け固定することにより構成されている。
【０００７】
【発明が解決しようとする課題】
ところで、前記従来の通風口を形成するには、室内に配置された各機器の熱源の冷却に適合するように、各機器毎に調整された大きさの穴を有する通風口用のパネルが用意されていた。従って、この通風口用のパネルは機器毎に個別に製作するので種類も多く、手間がかかり高価なものとなった。
【０００８】
また、この通風口用のパネルを固定し機器を設置した後において、機器に関する環境の変化や機器自体の発熱量の変化から通風量を変える必要が生ずることがある。このような場合、別の大きさの穴を有する新しいパネルを用意するか、または従来使用していたパネルに加工を施して穴を拡大したり縮小して対処しなければならず、何れにしても手間や時間がかかって不経済であった。
【０００９】
本発明は、上記の問題に鑑みてなされたもので、通風口を可変にすることにより通風量を調整可能とするとともに、通風口用のパネルを規格化して安価に、且つ使い易くすることを課題としている。
【００１０】
【課題を解決するための手段】
そこで、本発明のフロアー用風量調整パネルは、通風口を区画形成する枠体が嵌込まれたパネル本体と、前記枠体内に装着されて前記通風口を開閉する複数の整風板が重なり可能に連結されてなるシャッターとから構成され、前記シャッターをスライドさせることにより各隣り合う前記整風板との重なり代を変えて前記通風口を所望の大きさに開閉し、通風量を調整可能としたフロアー用風量調整パネルであって、前記シャッターを構成する前記各整風板は板状で前方下面に板状の支持部材が垂設されているとともに、それらの裏面では、前記支持部材を介してレージトングによって連結され、且つ、先端の整風板から順次隣り合う整風板の上にその一部分が重なっており、通風口を全開状態にしたときは、先端の整風板の下方に他の全ての整風板が重なって収納されることを特徴とし、前記シャッターをスライドさせることにより各隣り合う前記整風板との重なり代を変えて前記通風口を所望の大きさに開閉し、通風量を調整可能としたことで前記課題の解決手段とした。
【００１１】
また、前記シャッターを構成する前記各整風板を、その裏面において支持部材を介してレージトングによって連結し、連動させることにより、シャッターを円滑に作動させるようにした。
【００１２】
更に、前記通風口の一側を開放して開口部を形成することにより、二重床の空間部から機器内への電線の配設作業が容易になるようにした。
【００１３】
【発明の実施の形態】
以下、本発明のフロアー用風量調整パネルの好適な実施の形態を図面を参照しながら説明する。
【００１４】
図１乃至図６は、本発明のフロアー用風量調整パネル（以下、パネルという）の実施の形態を示すもので、図１に示すパネルＰの全体の外形や寸法は、連結されることによりフリーアクセスフロアーを構成する他の個々のパネルとほぼ同様の平板状の方形に形成されている。
【００１５】
パネルＰは、広く切り抜かれた凹部を有する外殻板２と、この外殻板２の凹部に嵌め込まれて固定され通風口４全域を区画形成する枠体３とでパネル本体１が構成され、このパネル本体１の枠体３内に複数の整風板７が重なり可能に連結されてなるシャッター６がスライド可能に装着されて構成されている。
【００１６】
前記外殻板２は、剛性のある金属材料を用いた板壁２ａを周壁２ｂで囲んだ扁平な函状に形成されている。
【００１７】
前記枠体３は金属板によって平面形状がコの字に形成されており、外殻板２の凹部開口の位置で通風口４の一側が開放された開口部５となっており、この開口部５を通して電線類を通風口４に引き入れるようになっている。
【００１８】
更に、枠体３は、図３に示すように、断面形状が略Ｔ字状であり、扁平な上面板３ａの下面に通風口４の周壁を形成する縦板３ｂが垂設されている。この縦板３ｂの内側平行面には、シャッター６を構成する各整風板７の前方下面に垂設された支持部材６ａの両端部が乗って滑走するガイドレール３ｃが対向して延設されている。また、縦板３ｂの下端は内側にＬ字状に折り曲げられていて、前記ガイドレール３ｃの下面に平行してストッパレール３ｄが対向して形成されている。このストッパレール３ｄには所定間隔をおいて係止溝３ｅが設けられており、この係止溝３ｅにはシャッター６の先端部に垂設された前壁６ｂ内に装備されたロック機構Ｌ（図６）のデットボルト２０の係止片２０ａが係止して、スライドするシャッター６を所望の位置にロックするようになっている。
【００１９】
次に、シャッター６は、先端の板から順次隣り合う板の上に重なる長方形の鋼板からなる複数の整風板７と、この各整風板７の前方下面に垂設された長板状の支持部材６ａと、この支持部材６ａの下端に取り付けられて各整風板７を連動可能に連結する二つのレージトング１０と、シャッター６の先端部、即ち、開口部５に最も近く位置する整風板７ａの先端に設けられた前壁６ｂ内に装備されたロック機構Ｌとから構成されている。このシャッター６は、その最後端の整風板７ｂが枠体３内の最奥部に固定されているとともに、重なりの最上位にあって開口部５に最も近く位置する先端の整風板７ａがその上面両端部分で枠体３の上板３ａの下面に規制されていて、枠体３から抜け出し不能に装着されている。そして、各整風板７を梁状に支持する支持部材６ａの両端部が滑動自在にガイドレール３ｃに乗っており、シャッター６を作動させると支持部材６ａがガイドレール３ｃ上をスライドして通風口４を開閉するようになっている。
【００２０】
各整風板７の短手方向の幅は、先端の整風板７ａが最も広く、後方にいくに従いその幅は順次比例して狭くなっている。そして、図４乃至図５に示すように、先端の整風板７ａから順次隣り合う整風板７の上にその一部分が重なっており、通風口４を全開状態にしたときは、先端の整風板７ａの下方に他の全ての整風板７が重なって収納される（図４ｃ）。
【００２１】
また、各整風板７の前方下面には、整風板７をガイドレール３ｃ上に支える鋼材からなる長板状の支持部材６ａが垂設されている。支持部材６ａの下方には、図２に示すように、開口部５から奥部方向に向かう二つのレージトング１０，１０が平行して配設されている。そして、各支持部材６ａの下端は、レージトング１０を構成する各リンク１１が交差する中側の対偶位置１２で各レージトング１０，１０に螺子止めされている。従って、各整風板７は支持部材６ａを介してレージトング１０で連結されており、シャッター６をスライドさせるとレージトング１０が伸縮し、各整風板７はその重なり代を変えながら連動する。
【００２２】
前記各レージグトング１０，１０は前後に伸縮する周知の四節機構であり、各整風板７の裏面に位置するレージトング１０の各リンク１１は、各整風板７の短手の幅に従い順次短くなっている。従って、連結された各整風板７は連動してその幅に応じて均等にスライドする。また、平行する二つのレージトング１０，１０は、複数の連結杆１４で連結されており、シャッター６を開閉したとき二つのレージトング１０，１０が同調して各整風板７が円滑に作動するようになっている。
【００２３】
図６は、枠体３に装着されたシャッター６の先端部の前壁６ｂ内に装備されたロック機構Ｌを示すものであり、シャッター６を所望の位置にロックして通風口４の大きさを固定する為のものである。このロック機構Ｌは、前壁６ｂ内中央に上下動可能に設けられ上端に取手２１ａを有する方形平板状の駆動レバー２１と、外方にＬ字に屈曲した係止片２０ａを先端に有する一対の長板状のデットボルト２０と、前記係止片２０ａが係合する複数の係止溝３ｅを所定位置に設けたストッパレール３ｄとで構成されている。
【００２４】
前記駆動レバー２１には二つの長孔２２，２２が逆ハの字形に穿設されており、前記各長孔２２には前記各デットボルト２０の後端部に突設されたスプリングピン２３が摺動自在に係合されている。図６ａに示すように、駆動レバー２１を下げた状態にあっては、一対のデットボルト２０，２０は互いに離反してその先端の係止片２０ａがストッパレール３ｄの係止溝３ｅに係合したロック状態になってシャッター６の動きを固定し、図６ｂに示すように、駆動レバー２１を引き上げた状態にあっては、デットボルト２０はスプリングピン２３を介して長孔２２にガイドされて互いの後端側に合い寄り、係止片２０ａは係止溝３ｅから抜け外れて非ロック状態となってシャッター６のスライドが可能となる。
【００２５】
また、図７は、別のロック機構Ｌの実施形態を示すものである。このロック機構Ｌが採用される枠体３は、縦板３ｂの下端が内側にＬ字に折り曲げられた下板３ｆの上面にブロック状のガイドレール３ｃを縦板３ｂに平行して設け、縦板３ｂの内側とガイドレール３ｃとの間でガイド溝３ｇを形成したものである。このガイド溝３ｇには、シャッター６の前壁６ｂの左右両端に垂設されたガイド板６ｃが前後方向に走行可能に嵌挿されている。
【００２６】
ロック機構Ｌは、前壁６ｂの中央部前方に設けたノブ２４で回動する駆動ボルト２５の両側にスペーサーブロック２６，２６を設け、このスペーサーブロック２６，２６の前方に前記駆動ボルト２５と上下動可能に螺合する螺溝２７を内側に有する長尺の作動板２８が前壁６ｂに沿って配設されている。そして、前記作動板２８の左右両端部と制動板２９の内方の端部とが回動可能に軸止連結されているともに、前記制動板２８は前壁６ｂに回動可能に軸止固定されている。
【００２７】
このロック機構Ｌに於いては、図７（ａ）に示すように、制動板２９が水平状態のときは、非ロック状態にあってシャッター６はスライド可能とされ、ノブ２４で駆動ボルト２５を回して作動板２８を上方に引き上げると、連結軸３０も上昇する。従って、作動板２８に連動する制動板２９は固定軸３１を支点としてその先端部２９ａでガイドレール３ｃ上面を押圧し、ロック状態になる。
【００２８】
このロック機構Ｌによれば、シャッター６の先端部の前壁６ｂをガイドレール３ｃ上面の任意の位置でロックできるので、シャッター６の開閉の微調整が可能となるとともに、シャッター６は、その前壁６ｂのガイド板６ｃがガイド溝３ｇ内を案内されてスライドするので、開閉に伴う振れ動きなく安定してスライドする。
【００２９】
以上のように構成された実施の形態におけるパネルＰは、フリーアクセスフロアーに使用される他のパネルと同様に、機器が設置される所定の位置に支持脚（図示省略）によって支持固定されて使用される。そして、機器が設置される以前の仮設の段階においては、図４ａに示すように、シャッター６を引き出して通風口４全域を閉塞しておく。すると、他のパネルとともにほぼ面一のフロアーを形成するするので、作業員が誤って通風口４の中に脚を踏み外す心配がない。また、シャッター６を構成する各整風板７は、梁状の支持部材６ａによって枠体３内に支持補強されているので、シャッター６を踏み抜かれることがない。
【００３０】
設置される機器の冷却に必要な風量と機器に導入される電線の量が決まると、駆動レバー２１や駆動ボルト２５を作動させてシャッター６のロック機構Ｌを解除し、整風板７をスライドさせて通風口４の大きさを調整する。そして、調整後は再びシャッター６をロックし、通風口４の大きさを固定する。
【００３１】
また、通風口４内への電線の引き込みは開口部５を通して行い、従来、開口部５のないパネルＰで行っていた通風口４の上下に電線の端部を貫通させる面倒な通し作業の必要がなくなる。また、シャッター６をスライドさせて開設した通風口４の中には、配線作業の障害になるようなものは何も残らないので、結束された電線や太い配管も容易に収納可能となり、機器への配線作業がやり易くなっている。
【００３２】
例えば、パネル本体１を交換するような場合には、電線を機器に接続したままの状態で機器を移動させ、パネル本体１をフロアーから取り外すことができる。そして、新しいパネルＰの開口部５を通して電線を通風口４内に取り込み、そのままパネル本体１を元の位置に取り付ければよい。従って、電線と機器との離着の手間が省け、調整の作業時間を大幅に短縮できる。
【００３３】
また、通風量を変更する必要が生じた場合には、シャッター６のロック機構Ｌを解除しシャッター６をスライドさせて通風口４を所望の大きさに開閉し、再度、ロックすればよい。従って、上述した簡単なシャッター６の操作により通風量を調整することができるので、パネルＰに通風量を調整する加工を施す必要がなく、加工費や調整時間が節約できて経済的である。
【００３４】
また、シャッター６の開閉は、図４に示すように、隣り合う整風板７が重なり合って連動して行われるとともに、全開状態にした場合には、図４ｃに示すように、先端の整風板７ａの下方に他の整風板７が重なり合って収納される構成であるので、整風板７を常にパネルＰ内に保持していて紛失する心配がなく、従って、何時でも通風量の調整が簡単に行うことができる。
【００３５】
尚、既述した実施の態様に於けるパネル本体１は、外殻体２と枠体３とから構成されているが、これに限るものではなく、例えば、金属材料による鋳造や、硬質のエンジニアリングプラスチックによる一体成形物であってもよいことは言うまでもない。
【００３６】
【発明の効果】
本発明のフロアー用風量調整パネルによれば、以下の効果を奏することができる。
【００３７】
請求項１に記載のフロアー用風量調整パネルによれば、パネル本体の通風口に複数の整風板が重なり可能に連結されてなるシャッターを設け、このシャッターをスライドさせることにより各隣り合う整風板との重なり代を変えて通風口を所望の大きさに開閉できるように構成したので、シャッターを操作するだけで短時間に簡単に通風量の調整ができ、且つ、機器の発熱量の大小に関わらずどの機器にも対応して使用することができる。従って、パネルの通風口の大きさの調整加工が不必要となるとともに通風口用のパネルの規格化が可能となり、管理も容易になって経済的である。
【００３８】
請求項２に記載のフロアー用風量調整パネルによれば、上記の効果に加え、シャッターを構成する各整風板を、その裏面において支持部材を介してレージトングによって連動可能に連結した構成としたので、シャッターを開閉すると、各隣り合う整風板はシャッターの開閉代に従って重なり代を変えながら円滑にスライドする。従って、シャッターの操作性がよいので通風量の調整を短時間で済ますことができるうえに、パネルの見映えがよい。
【００３９】
請求項３に記載のフロアー用風量調整パネルによれば、上記の効果に加え、通風口内への電線の引き込み作業はパネル本体の開口部から行えるようにしたので、二重床の空間部から機器内への電線の配設作業や配線の調整、パネルの交換が容易となり、作業時間が短縮できる。
【図面の簡単な説明】
【図１】本発明のフロアー用風量調整パネルの実施形態を示す斜視図。
【図２】同実施形態におけるシャツターの裏面図。
【図３】図２のＡーＡ部分を示す断面図。
【図４】同実施形態におけるシャッターの開閉状態を示すもので、（ａ）は全閉、（ｂ）は半開、（ｃ）は全開状態を示す断面図。
【図５】図４（ａ）の要部詳細図。
【図６】同実施形態におけるシャッターのロック機構を示すもので、（ａ）はロック状態、（ｂ）は開放状態を示す断面図。
【図７】同実施形態における別のシャッターのロック機構を示すもので、（ａ）はロック状態、（ｂ）は開放状態を示す断面図。
【図８】本発明のフロアー用風量調整パネルが使用される室内環境を示す説明図。
【符号の説明】
１  パネル本体，３  枠体，４  通風口，５  開口部，６  シャッター，６ａ支持部材，７  整風板，１０  レージトング
【図１】
0003746336.tif 000002
【図２】
0003746336.tif 000003
【図３】
0003746336.tif 000004
【図４】
0003746336.tif 000005
【図５】
0003746336.tif 000006
【図６】
0003746336.tif 000007
【図７】
0003746336.tif 000008
【図８】
0003746336.tif 000009